(57)【要約】一実施形態では、多室宿泊施設（例えば、ホテル）の部屋に配備され、室内装置（例えば、環境制御装置、照明装置、及びＡ／Ｖ装置など）を監視制御するとともに、電力最適化を改善し、特定のバッテリー駆動式ＷＰＡＮ装置のレイテンシを低減することが可能なスマート照明スイッチ／サーモスタットが提供される。スマート照明スイッチ／サーモスタットは、電気ボックス（例えば、１つのギャングボックス）内に取り付けられた壁内装置である場合があり、監視制御される室内装置、及び、モバイルゲスト装置やクラウド制御サービスへのアクセスを提供する中央ホストコントローラとの間のネットワーク接続を維持する。スマート照明スイッチ／サーモスタットは、部屋のエージェントとして動作し、電力最適化を改善し、特定のバッテリー駆動式ＷＰＡＮ装置（例えば、ＢＬＥドアロック）のレイテンシを低減することができる。【選択図】図１
2021517350.tif 000002
【特許請求の範囲】
【請求項１】
宿泊施設の部屋に配備するための照明スイッチとサーモスタットの組み合わせであって、
前記照明スイッチとサーモスタットの組み合わせのユーザーインターフェイスの少なくとも一部を表示するための画面と、
前記宿泊施設の前記部屋の複数の室内装置、並びに前記宿泊施設の複数の部屋を管理及び制御する中央ホストコントローラと通信するように構成された１以上のネットワークインターフェイスであって、前記室内装置が、少なくとも環境制御装置及び照明装置を含む、１以上のネットワークインターフェイスと、
制御コードを実行するように構成されたプロセッサと、
前記制御コードを記憶するように構成されたメモリであって、前記制御コードが、実行されたときに、
前記照明スイッチとサーモスタットの組み合わせの前記ユーザーインターフェイスにおけるユーザー入力に応答して、前記室内装置のうちの１以上に制御コマンドを発行し、
前記中央ホストコントローラからのサービス要求に応答して、前記室内装置のうちの１以上に制御コマンドを発行する
ように動作可能である、メモリと
を含む、照明スイッチとサーモスタットの組み合わせ。
【請求項２】
前記制御コードは、実行されたときに、前記室内装置のうちの１以上から前記ネットワークインターフェイスを介して受信した状態及び環境の情報を前記画面上に表示し、前記状態及び環境の情報の少なくとも一部を、前記ネットワークインターフェイスを介して前記中央ホストコントローラに提供するように動作可能である、請求項１に記載の照明スイッチとサーモスタットの組み合わせ。
【請求項３】
前記ネットワークインターフェイスは、ゲストモバイル制御アプリケーション（アプリ）を実行しているゲストモバイル装置と通信するようにさらに構成され、
前記制御コードは、実行されたときに、
前記ゲストモバイル制御アプリから、サービス要求及び時間制限のある認証キーを受信し、
前記時間制限のある認証キーを現在時刻と照合し、
前記時間制限のある認証キーの確認に応答して、前記室内装置のうちの１以上に制御コマンドを発行し、又は、前記ゲストモバイル制御アプリに状態及び環境の情報を提供するようにさらに動作可能である、請求項１に記載の照明スイッチとサーモスタットの組み合わせ。
【請求項４】
前記１以上のネットワークインターフェイスは、少なくとも無線パーソナルエリアネットワーク（ＷＰＡＮ）又は無線ローカルエリアネットワーク（ＷＬＡＮ）を使用して前記室内装置と通信するように構成された１以上の無線ネットワークインターフェイスを含む、請求項１に記載の照明スイッチとサーモスタットの組み合わせ。
【請求項５】
前記環境制御装置は、パッケージターミナルエアコン（ＰＴＡＣ）であり、
前記１以上のネットワークインターフェイスは、サーモスタット制御配線を介して前記ＰＴＡＣと通信するように構成されている、請求項１に記載の照明スイッチとサーモスタットの組み合わせ。
【請求項６】
前記環境制御装置は、パッケージターミナルエアコン（ＰＴＡＣ）であり、
前記１以上のネットワークインターフェイスは、無線パーソナルエリアネットワーク（ＷＰＡＮ）を介して、前記ＰＴＡＣに結合されたＰＴＡＣ監視制御モジュールと通信するように構成された、１以上の無線ネットワークインターフェイスを含む、請求項１に記載の照明スイッチとサーモスタットの組み合わせ。
【請求項７】
前記照明スイッチとサーモスタットの組み合わせは、壁内電気ボックスに取り付けられ、壁内交流（ＡＣ）配線から電力を引き出すように構成されている、請求項１に記載の照明スイッチとサーモスタットの組み合わせ。
【請求項８】
前記室内装置は、１以上のセンサー装置又はオーディオ／ビデオ（Ａ／Ｖ）エンターテイメント装置を含み、
前記１以上のネットワークインターフェイスは、前記１以上のセンサー装置又はＡ／Ｖエンターテイメント装置と通信するように構成されている、請求項１に記載の照明スイッチとサーモスタットの組み合わせ。
【請求項９】
前記室内装置は、前記部屋のバッテリー駆動式Ｂｌｕｅｔｏｏｔｈ（登録商標）  Ｌｏｗ  Ｅｎｅｒｇｙ（ＢＬＥ）ドアロックを含み、
前記１以上のネットワークインターフェイスは、ＢＬＥを介して前記バッテリー駆動式ＢＬＥドアロックと通信するように構成された１以上のＢＬＥインターフェイスを含む、請求項１に記載の照明スイッチとサーモスタットの組み合わせ。
【請求項１０】
前記制御コードは、実行されたときに、前記１以上の無線ネットワークインターフェイスを使用して、
ネゴシエート済み接続インターバルを使用して、前記電子ドアロックとの間にＢＬＥを介した接続を開き、
接続可能なアドバタイジング送信を、ＢＬＥを介して、前記接続インターバルよりも短いアドバタイジングインターバルで送信し、
ＢＬＥを介して、モバイル装置との間に接続を確立し、
前記モバイル装置との間の前記接続を介して、前記バッテリー駆動式ＢＬＥドアロックをロック又はロック解除するために必要なデータを受信し、
前記データを前記バッテリー駆動式ＢＬＥドアロックとの間の前記接続を介して転送することにより、前記電子ドアロックをロック又はロック解除する
ように動作可能である。請求項９に記載の照明スイッチとサーモスタットの組み合わせ。
【請求項１１】
複数の部屋を有する宿泊施設の制御管理システムであって、
前記複数の部屋の各々に配備された照明スイッチとサーモスタットの組み合わせであって、照明スイッチとサーモスタットの各組み合わせが、各自の部屋の複数の室内装置を制御するように構成され、前記複数の室内装置が、少なくとも前記各自の部屋にある環境制御装置及び照明装置を含む、照明スイッチとサーモスタットの組み合わせと、
前記宿泊施設の特定の部屋の制御を許可するゲストモバイル制御アプリケーション（アプリ）を実行するように構成されたモバイル装置であって、前記モバイルアプリが、前記モバイルアプリのユーザーインターフェイス上でのユーザー入力に応答して、前記特定の部屋の前記照明スイッチとサーモスタットの組み合わせに対し、サービス要求を送信させ、前記特定の部屋の複数の室内装置を制御することにより、制御を許可するものである、モバイル装置と、
前記宿泊施設の前記複数の部屋を管理及び制御するように構成された中央ホストコントローラであって、前記中央ホストコントローラが、前記宿泊施設の各部屋にある前記照明スイッチとサーモスタットの組み合わせとのネットワーク接続を有しており、各部屋の前記照明スイッチとサーモスタットの組み合わせに対し、サービス要求を発行し、そこから状態情報を受信するように構成されている、中央ホストコントローラと
を含む、制御管理システム。
【請求項１２】
照明スイッチとサーモスタットの各組み合わせは、前記照明スイッチとサーモスタットの組み合わせのユーザーインターフェイスの少なくとも一部を表示するための画面を含み、
照明スイッチとサーモスタットの各組み合わせは、各自の部屋の前記室内装置のうちの１以上から受け取った状態及び環境の情報を前記ユーザーインターフェイス上に表示し、前記ユーザーインターフェイスにおけるユーザー入力に応答して、前記室内装置のうちの１以上を制御するように構成されている、請求項１１に記載の制御管理システム。
【請求項１３】
前記環境制御装置は、パッケージターミナルエアコン（ＰＴＡＣ）であり、
照明スイッチとサーモスタットの各組み合わせは、前記ＰＴＡＣへのサーモスタット制御配線を介して、又は前記ＰＴＡＣに結合されたＰＴＡＣ監視制御モジュールへの無線パーソナルエリアネットワーク（ＷＰＡＮ）を介して、各自のＰＴＡＣを制御するように構成されている、請求項１１に記載の制御管理システム。
【請求項１４】
前記環境制御装置は、パッケージターミナルエアコン（ＰＴＡＣ）であり、
照明スイッチとサーモスタットの各組み合わせは、前記ＰＴＡＣへのサーモスタット制御配線を介して、又は前記ＰＴＡＣに結合されたＰＴＡＣ監視制御モジュールへの無線パーソナルエリアネットワーク（ＷＰＡＮ）を介して、各自のＰＴＡＣを制御するように構成されている、請求項１１に記載の制御管理システム。
【請求項１５】
照明スイッチとサーモスタットの各組み合わせは、無線パーソナルエリアネットワーク（ＷＰＡＮ）又は無線ローカルエリアネットワーク（ＷＬＡＮ）を介して、各自の照明装置を制御するように構成されている、請求項１１に記載の制御管理システム。
【請求項１６】
前記ゲストモバイル制御アプリは、時間制限のある認証キーを所持している場合にのみ、前記宿泊施設の前記特定の部屋の制御を許可する、請求項１１に記載の制御管理システム。
【請求項１７】
前記中央ホストコントローラは、複数の部屋の各々について構成、リアルタイムの状態、及び履歴メトリックを記憶する構成データベースのコピーを維持するように構成されている、請求項１１に記載の制御管理システム。
【請求項１８】
インターネットを介して前記中央ホストコントローラと通信するクラウド制御サービスをさらに含み、
前記クラウド制御サービスは、複数の部屋の各々について構成、リアルタイムの状態、及び履歴メトリックを記憶する構成データベースを維持するように構成されている、請求項１１に記載の制御管理システム。
【請求項１９】
前記ゲストモバイル制御アプリは、前記特定の部屋にいるときは、前記モバイル装置に、前記照明スイッチとサーモスタットの組み合わせに向かってサービス要求を送信させ、前記特定の部屋から離れているときは、前記モバイル装置に、前記クラウド制御サービスに向かってサービス要求を送信させることにより、前記特定の部屋の制御を許可する、請求項１８に記載の制御管理システム。
【請求項２０】
複数の部屋の各々について、室内装置を制御するためのポータルを提供し、又は、構成、リアルタイムの状態、及び履歴メトリックのうちの少なくとも１つを表示するように構成された、１以上の宿泊施設内スタッフ装置又は宿泊施設外企業運用装置をさらに含む、請求項１１に記載の制御管理システム。
【請求項２１】
各部屋の前記室内装置は、バッテリー駆動式無線パーソナルエリアネットワーク（ＷＰＡＮ）装置を含み、
各部屋の照明スイッチとサーモスタットの組み合わせは、
ネゴシエート済み接続インターバルを使用して、ＷＰＡＮを介して、各部屋のバッテリー駆動式ＷＰＡＮ装置との間に接続を開き、
接続可能なアドバタイジング送信を、ＷＰＡＮを介して、前記接続インターバルよりも短いアドバタイジングインターバルで送信し、
前記ＷＰＡＮを介して、モバイル装置との間に接続を確立し、
前記モバイル装置との間の前記接続を介して、各自のバッテリー駆動式ＷＰＡＮ装置の状態を変更するために必要なデータを受信し、
前記データを各自のバッテリー駆動式ＷＰＡＮ装置との間の前記接続を介して転送することにより、各自のバッテリー駆動式ＷＰＡＮ装置の前記状態を変更する
ようにさらに構成されている、請求項１１に記載の制御管理システム。
【請求項２２】
バッテリー駆動式ＷＰＡＮ装置は、前記部屋のバッテリー駆動式Ｂｌｕｅｔｏｏｔｈ（登録商標）  Ｌｏｗ  Ｅｎｅｒｇｙ（ＢＬＥ）ドアロックであり、前記状態は、前記ドアロックをロックし、又はロック解除するものである、請求項２１に記載の制御管理システム。
【請求項２３】
無線パーソナルエリアネットワーク（ＷＰＡＮ）装置の電力最適化の方法であって、
エージェント装置により、ネゴシエート済み接続インターバルを使用して、前記ＷＰＡＮを介して、バッテリー駆動式ＷＰＡＮ装置との間に接続を開き、
前記エージェント装置により、接続可能なアドバタイジング送信を、前記ＷＰＡＮを介して、前記接続インターバルよりも短いアドバタイジングインターバルで送信し、
前記エージェント装置により、前記ＷＰＡＮを介して、モバイル装置との間に接続を確立し、
前記エージェント装置により、前記モバイル装置との間の前記接続を介して、前記バッテリー駆動式ＷＰＡＮ装置を操作するために必要なデータを受信し、
前記データを前記ＷＰＡＮ装置との間の前記接続を介して転送することにより、前記バッテリー駆動式ＷＰＡＮ装置の状態を変更すること
を含む方法。
【請求項２４】
前記バッテリー駆動式ＷＰＡＮ装置は、バッテリー駆動式Ｂｌｕｅｔｏｏｔｈ（登録商標）  Ｌｏｗ  Ｅｎｅｒｇｙ（ＢＬＥ）ドアロックである、請求項２３に記載の方法。
【請求項２５】
前記エージェント装置は、壁内交流（ＡＣ）配線に結合されている、請求項２３に記載の方法。
【請求項２６】
前記エージェント装置は、照明スイッチとサーモスタットの組み合わせである、請求項２３に記載の方法。
【発明の詳細な説明】
【技術分野】
【０００１】
本開示は、概して、多室宿泊施設（例えば、ホテル）における制御、監視、及び最適化に関し、より具体的には、室内装置の監視制御のための技術、ならびにバッテリー駆動式装置（例えば、電子ドアロック）のための改善された電力最適化のための技術に関する。
【背景技術】
【０００２】
多室宿泊施設（例えば、複数の客室を有するホテル）の所有者は、通常、ゲストエクスペリエンスを改善しつつ運用コストを低減することを目指している。運用コストの原因の１つは、室内環境制御装置の非効率的使用である。多くの多室宿泊施設は、各部屋にパッケージターミナルエアコン（ＰＴＡＣ）を配備することにより、暖房、換気、空調（ＨＶＡＣ）機能の個別制御を可能にしている。ＰＴＡＣは、自己完結型のＨＶＡＣユニットであり、通常は電動であり、部屋の内外に通気口とヒートシンクを有している。多室宿泊施設（例えば、ホテル）のＰＴＡＣは、放置されていることで悪名が高く、例えば、客が日中に部屋を離れるときや、チェックアウト後に、極端な温度に設定されていることがよくある。一般に、ＰＴＡＣは、客が自分の部屋に戻り、部屋が不快な状態であることに気づいたときや、ハウスキーピングスタッフが部屋を掃除したときにのみ、オフにされ、又は適当なレベルにリセットされる。多くの多室宿泊施設では、操作は主に手動で行われ、集中的な管理、監視、又は制御は行われない。同様の状況は、例えば、室内照明装置やＡ／Ｖエンターテイメント装置のような多くの他のタイプの室内装置についても存在する。照明器具、テレビ、及び他の室内装置は、客が部屋を離れるときにオンのままにされることよくあり、それらは、部屋に戻った客、又はハウスキーピングスタッフによって手動でオフにされるまで、電力を消費する。
【０００３】
多くの多室宿泊施設（例えば、ホテル）が有するもう１つの問題は、種々の部屋に配置された特定のバッテリー駆動式装置の効率的な電力最適化の欠如である。例えば、バッテリー駆動式無線パーソナルエリアネットワーク（ＷＰＡＮ）装置が配備された宿泊施設の数は、益々増加している。増加している１つの一般的タイプのバッテリー駆動式ＷＰＡＮ装置は、Ｂｌｕｅｔｏｏｔｈ（登録商標）  Ｌｏｗ  Ｅｎｅｒｇｙ（ＢＬＥ）ドアロックである。ＢＬＥドアロックによれば、客は、モバイル装置（例えば、スマートフォン）上のアプリケーション（アプリ）を使用してドアを開けることが可能となる。このようなドアロックは、多くの場合、専用のアクセスカードを使用する従来の磁気ストリップロックや無線周波数（ＲＦ）ロックの代わりとなる。ただし、バッテリー駆動式ＷＰＡＮ装置（ＢＬＥドアロックなど）は、リッスンインターバルの長さとバッテリー寿命の間のトレードオフに直面している。この文脈において、リッスンインターバルとは、装置が、到来した送信を受け取るためにスキャンするインスタンス間の時間単位の数を指している。ドアロック用ＢＬＥの場合、積極的に電源を再投入することで省電力が実現されるため、リッスンインターバルは長くなる。客が居て、自分のモバイル装置上のアプリを使用してＢＬＥドアロックを開けようとする場合、モバイル装置の通信インターバルは、ＢＬＥドアロックのリッスンインターバルと一致していなければならない。そのため、キー交換がネゴシエートされると、ドアが開かれる。通常、これによりレイテンシが大幅に増加し、装置は、すぐに応答しない感覚を客に与えることがある。
【０００４】
ＢＬＥのような一部のＷＰＡＮプロトコルは、接続（例えば、ＢＬＥ接続）を確立し、送信インターバルとリッスンインターバルを合意された接続インターバルと一致させるようにネゴシエートすることにより、このレイテンシを低減しようとする。マスター装置（例えば、ＢＬＥドアロック）は、接続可能なアドバタイジング送信をアドバタイジングインターバル（電力消費を低減するために、アドバタイジングインターバルは長いことが多い）で送信し、スレーブ装置（例えば、モバイル装置）から到来する接続を受け付ける。モバイル装置は、アドバタイズメントをスキャンインターバルでスキャンし、接続可能なアドバタイジング送信を受信したときにのみ、接続を要求する。接続が確立されると、合意された接続インターバルにしたがって通信が行われ、その後の通信をより効率的に行うことができる。ただし、モバイル装置は一時的なものであり、接続の利点は減少する。使用時には、通常、接続を頻繁に再形成する必要があるため、ネゴシエート済み接続インターバルの効率を完全に実現することはできない。このように、バッテリー駆動式ＷＰＡＮ装置（例えば、バッテリー駆動式ＢＬＥドアロック）の低レイテンシと長いバッテリー寿命は、排他的であることが分かっている。
【０００５】
したがって、室内装置を制御、監視、及び最適化するための改善された技術、ならびに、バッテリー駆動式装置（例えば、バッテリー駆動式ＢＬＥドアロック）のための改善された電力最適化及びレイテンシ低減のための技術が必要とされている。
【０００６】
［概要］
一実施形態では、多室宿泊施設（例えば、ホテル）の部屋に配置され、室内装置（例えば、ＰＴＡＣ、照明装置、Ａ／Ｖ装置などのような環境制御装置）の動作を制御、監視、及び最適化することが可能であり、さらには、特定のバッテリー駆動式装置の電力最適化を改善し、それらの装置のレイテンシを低減する、スマート照明スイッチ／サーモスタットが提供される。スマート照明スイッチ／サーモスタットは、電気ボックス（例えば、１つのギャングボックス）に取り付けられた壁内装置である場合があり、室内装置との間のネットワーク接続（例えば、有線、ＷＰＡＮ、及び／又はＷＬＡＮ接続）だけでなく、モバイルゲスト装置や、クラウド制御サービスへのアクセスを提供する中央ホストコントローラとの間のネットワーク接続も維持する壁内装置である場合がある。ゲストモバイル装置は、ゲストモバイルアプリを実行することができる。ゲストモバイルアプリは、時間制限のある認証キーを所持している間、スマート照明スイッチ／サーモスタットにサービス要求を発行することにより、部屋を監視制御することができる。中央ホストコントローラは、複数の部屋にあるスマート照明スイッチ／サーモスタットを介して、種々の室内装置を制御し、監視し、及び最適化する。中央ホストコントローラは、さらに、宿泊施設の複数の部屋を制御し、監視するために使用可能な宿泊施設内スタッフ装置にも接続される場合があり、現場から離れた制御及び監視が可能なクラウド制御サービスに接続される場合がある。
【０００７】
そのような機能の他に、一部の実施形態では、スマート照明スイッチ／サーモスタットは、部屋のエージェントとして動作することにより、電力最適化を改善し、バッテリー駆動式ＷＰＡＮ装置（例えば、ＢＬＥドアロック）のレイテンシを低減することができる。スマート照明スイッチ／サーモスタットは、長いネゴシエート済み接続インターバル（例えば、数百ミリ秒）を使用して、ＷＰＡＮ（例えば、ＢＬＥ）を介して、バッテリー駆動式ＷＰＡＮ装置（例えば、バッテリー駆動のＢＬＥドアロック）との間に接続を開くことにより、大部分の時間にわたってバッテリー駆動式ＷＰＡＮ装置をオフ状態にすることができ、その後、その装置に代わって、接続可能なアドバタイジング送信を、ＷＰＡＮを介して非常に短いアドバタイジングインターバル（例えば、２０ミリ秒）で送信することにより、ゲストモバイル装置のようなモバイル装置のスキャンインターバルと一致する可能性を増加させることができる。
【０００８】
この概要に記載したもの以外に、種々の追加的特徴や代替実施形態が実施される場合があることを理解されたい。この概要は、以下の詳しい説明に備えて読者に向けた簡単な紹介であることを単に意図しており、本明細書で言及される例が本開示のすべての態様をカバーすることや、本開示の必須の若しくは重要な態様であることを示すものでも、示唆するものでもない。
【図面の簡単な説明】
【０００９】
以下の説明では、種々の例示的実施形態に関する下記の添付図面が参照される。
【図１】複数の部屋（例えば、客室）を有する宿泊施設（例えば、ホテル）で使用するためのスマート制御エネルギー管理システムの例示的アーキテクチャを示すブロック図である。
【図２Ａ】スマート照明スイッチ／サーモスタットの第１の例示的実施形態の内部構成要素を示すブロック図である。
【図２Ｂ】スマート照明スイッチ／サーモスタットの第２の例示的実施形態の内部構成要素を示すブロック図である。
【図３Ａ】宿泊施設データベースのデータから生成される場合がある宿泊施設全体の占有率、エネルギー使用量、及び温度状態を表示する、一例による概要画面のスクリーンショットを示す図である。
【図３Ｂ】図３Ａの概要画面に示された部屋の１つを選択することによりアクセス可能な選択された部屋の占有率、エネルギー使用量、及び温度状態を表示する、一例による部屋固有画面のスクリーンショットを示す図である。
【図４】客のチェックイン時に実行されることがある例示的一連のステップを示すフロー図である。
【図５】客のチェックアウト時に実行されることがある例示的一連のステップを示すフロー図である。
【図６】部屋の客室温度設定点変更のために実行されることがある例示的一連のステップを示すフロー図である。
【図７】トラブルシューティングを実施し、室内装置の交換を管理するために実行されることがある例示的一連のステップを示すフロー図である。
【図８】システムレポートを実行し、種々の通知を発行するために実行されることがある例示的一連のステップを示すフロー図である。
【発明を実施するための形態】
【００１０】
［詳細な説明］
例示的システムアーキテクチャ
図１は、複数の部屋（例えば、客室）を有する宿泊施設（例えば、ホテル）で使用するためのスマート制御エネルギー管理システムの例示的アーキテクチャ１００を示すブロック図である。システム１００は、各部屋内に配置された室内装置１１０と、フロントデスク又は他の集中化された場所に配置される場合がある中央ホストコントローラ１４０と、遠隔のサーバ上に提供され、インターネットを介してホストコントローラ１４０に遠隔からアクセス可能なクラウド制御サービス１６０（例えば、オンデマンド・クラウドコンピューティング・プラットフォーム）と、管理、ゲストサービス、保守、ハウスキーピング又は他のスタッフが使用できる宿泊施設内スタッフ装置１８０と、企業又は運用担当者が使用できる宿泊施設外企業運用装置と、を含む。
【００１１】
室内装置１１０は、各部屋の状態をリアルタイムで監視し、制御し、及び報告する役割を担うスマート照明スイッチ／サーモスタット２００を含む。スマート照明スイッチ／サーモスタット２００は、他の室内装置に対して制御コマンドを発行し、他の室内装置から状態及び環境の情報を受信することができる。一実施形態において、スマート照明スイッチ／サーモスタット２００は、電気ボックス（例えば、１つのギャングボックス）内に取り付けられた壁内装置であり、両方とも、壁内交流（Ａ／Ｃ）配線から電力（例えば、１２０ボルト）を引き出し、そのＡＣを電源リレーによって少なくとも１つの負荷（例えば、スマート照明スイッチ／サーモスタット２００を介して配線された照明器具）に切り替えることができる。スマート照明スイッチ／サーモスタット２００は、その前面のかなりの部分を取り囲み、ユーザーインターフェイスの一部を提供するように構成された画面（例えば、タッチセンサー式ＬＣＤ画面）を含む場合がある。前面の他の部分は、ユーザーインターフェイスを構成する１以上の物理的ボタンや発光ダイオード（ＬＥＤ）で占められる場合がある。ユーザーインターフェイスは、他の室内装置を制御するための入力を受信するとともに、他の室内装置から受信した状態及び環境の情報を表示することができる。内部的には、スマート照明スイッチ／サーモスタット２００は、１以上の無線インターフェイス（例えば、ＢＬＥ無線装置のような無線ＷＰＡＮインターフェイス及びＷｉ−Ｆｉ無線装置のような無線ローカルエリアネットワーク（ＷＬＡＮ）インターフェイス）、プロセッサ、メモリ、上述の電源リレー、及び他のハードウェアを含む場合がある。
【００１２】
他のいくつかの室内装置は、専用配線、ＷＰＡＮ（例えば、ＢＬＥ）、あるいは、近く（例えば、室内若しくはホール内）のアクセスポイント１３０が提供するＷＬＡＮ（例えば、ＷｉＦｉ）を介して、スマート照明スイッチ／サーモスタット２００に直接接続され、制御コマンドを受信すると、状態及び環境の情報をスマート照明スイッチ／サーモスタット２００に直接提供することができる。そのような装置には、環境制御装置、照明装置、センサー装置、セキュリティ装置、特定のＡ／Ｖエンターテイメント装置、及び／又は他のタイプの装置が含まれ得る。室内装置によっては、中央ホストコントローラ１４０及び／又はクラウド制御サービス１６０に接続されるものもあり（少なくとも一部の事例において）、制御コマンドや状態及び環境の情報が、中間要素を介して提供される場合がある。そのような装置には、ゲストモバイル装置１２６、リモートコントローラ、専用キーパッド、特定の他の特定のＡ／Ｖエンターテイメント装置、及び他のタイプの装置が含まれ得る。
【００１３】
スマート照明スイッチ／サーモスタット２００に接続された環境制御装置には、ＰＴＡＣ１１２や、ＰＴＡＣ監視制御モジュール１１４が含まれ得る。一部の実施形態（例えば、スマート照明スイッチ／サーモスタット２００が有線サーモスタットに置き換わる場合）では、ＰＴＡＣ１１２は、標準のサーモスタット制御配線によってスマート照明スイッチ／サーモスタット２００のインターフェイスに結合される場合があり、スマート照明スイッチ／サーモスタット２００は、ＰＴＡＣを直接制御することができる。他の実施形態（例えば、スマート照明スイッチ／サーモスタット２００がオンユニットコントローラに置き換えられる場合）では、照明スイッチ／サーモスタット２００は、ＷＰＡＮ（例えば、ＢＬＥ）又はＷＬＡＮ（例えば、ＷｉＦｉ）を介して、ＰＴＡＣ１１２に配線されたＰＴＡＣ監視制御モジュール１１４と通信する場合がある。ＰＴＡＣ監視制御モジュール１１４は、スマート照明スイッチ／サーモスタット２００とＰＴＡＣ１１２との間の双方向インターフェイスとして機能する。ＰＴＡＣ監視制御モジュール１１４は、構成要素の中でもとりわけ、従来のＨＶＡＣ配線（例えば、Ｗ１、Ｗ２、Ｙ１、Ｙ２、Ｇ、Ｏ）を駆動する１以上のリレー、少なくとも１つの補助リレー（例えば、ＮＯ端子、ＮＣ端子及びＣＯＭ端子）、ステータス及びオンボーディングＬＥＤ、及び無線インターフェイス（例えば、ＢＬＥ無線装置及び／又はＷｉＦｉ無線装置）を含む場合がある。ＰＴＡＣ監視制御モジュール１１４の使用によれば、ＰＴＡＣへのサーモスタット制御配線を実行する必要なく、スマート照明スイッチ／サーモスタット２００を部屋内の任意の都合のよい場所に配置することが可能になる。
【００１４】
スマート照明スイッチ／サーモスタット２００に接続された照明装置には、ＷＰＡＮ（例えば、ＢＬＥ）を介して通信する１以上のスマート電球１１６が含まれ得る。各スマート電球１１６は、スマート照明スイッチ／サーモスタット２００からの制御コマンドに応答して、個別に作動され、調光され、及び／又は、その色が変化される場合がある。照明装置は、ＷＬＡＮ（例えば、ＷｉＦｉ）を介して通信する１以上のコンセント制御装置（「ランプモジュール」とも呼ばれる）１１８を含む場合がある。本明細書で使用される場合、「コンセント制御装置」という用語は、コンセントと負荷（例えば、ランプ）との中間に配置され、種々のコマンドに応答して作動及び／又は調光レベルを制御する装置を指している。
【００１５】
スマート照明スイッチ／サーモスタット２００に接続されたセンサーには、パッシブ赤外線（ＰＩＲ）占有センサー、アクティブ超音波占有センサー、湿度センサー、及び様々なタイプの自動化状態センサーなどが含まれ得る。一部の実施形態では、少なくとも一部のセンサー（例えば、パッシブ赤外線（ＰＩＲ）占有センサー）が、スマート照明スイッチ／サーモスタット２００に組み込まれ、装置の内部バスを介して通信する。例えば、独立したスマートセンサーユニット１２２に収容された他のセンサーは、例えば、ＷＰＡＮ（例えば、ＢＬＥ）を介して、スマート照明スイッチ／サーモスタットと通信する場合がある。
【００１６】
スマート照明スイッチ／サーモスタット２００に接続されたセキュリティ装置には、例えば、バッテリー駆動式ＷＰＡＮ（例えば、ＢＬＥ）ドアロックのような電子ドアロック１２０が含まれ得る。以下で説明されるように、一部の実施形態では、スマート照明スイッチ／サーモスタット２００は、中間エージェントとして動作することができ、電力の最適化と低レイテンシを達成するために、ゲストモバイル装置（例えば、スマートフォン）に代わってアドバタイズを実行しながら、バッテリー駆動式ＷＰＡＮ装置（例えば、バッテリー駆動式ＢＬＥドアロック）との間の接続を維持する。
【００１７】
スマート照明スイッチ／サーモスタット２００に接続されたＡ／Ｖエンターテイメント装置には、ＷＰＡＮ（例えば、ＢＬＥ）又はＷＬＡＮ（例えば、ＷｉＦｉ）を介して通信するスマートテレビ（ＴＶ）１２４及びＡ／Ｖコントローラ（図示せず）が含まれ得る。Ａ／Ｖコントローラは、例えば標準のＴＶ、ケーブルボックス、及びＤＶＤプレーヤー等のような機能の少ない多数のＡ／Ｖエンターテイメント装置に接続され、種々の制御コマンドに応答して、適当な信号（例えば、赤外線（ＩＲ）信号）を発することにより、それらの装置と情報をやりとりし、それらの装置を制御することができる。
【００１８】
ゲストモバイル装置は、スマート照明スイッチ／サーモスタット２００に接続され、又は、中央ホストコントローラ１４０及びクラウド制御サービス１６０と通信することができる。ゲストモバイル装置の１つのタイプは、許可されたときに室内装置１１０を制御するゲストモバイル制御アプリを実行するスマートフォン１２６である。ゲストモバイル制御アプリは、時間制限のある認証キーを受信する場合がある。時間制限のある認証キーは、ゲストモバイル装置に対し、特定の時間にわたって室内装置を制御し、室内装置から得られた状態及び環境の情報を表示することを許可し（例えば、客が部屋を予約した場合）、それ以外の時間における制御やアクセスを禁止する。時間制限のある認証キーは、ゲストモバイル制御アプリから送信されるサービス要求に含まれる場合がある。客が部屋でスマートフォン１２６を使用していて、ＷＬＡＮアクセス（例えば、ＷｉＦｉアクセス）が使用可能である場合、ゲストモバイル制御アプリは、ＷＬＡＮを介してスマート照明スイッチ／サーモスタット２００と通信することができる。スマート照明スイッチ／サーモスタット２００は、時間制限のある認証キーを確認し、種々の制御コマンドを発行し、又は、サービス要求で示された状態及び環境の情報を返すことができる。ただし、客は、ＷＬＡＮにアクセスできない場合がある。例えば、客が宿泊施設外にいる場合や、客のモバイル装置がＷＬＡＮを使用するように構成されておらず（例えば、必要な登録又はログイン手順により）、無線ネットワークがオフになっている場合である。そのような場合、ゲストモバイル装置上のゲストモバイル制御アプリは、ブロードバンドセルラーネットワーク（例えば、４Ｇ、５Ｇなど）を介して、クラウド制御サービス１６０と通信することができる。クラウド制御サービス１６０は、時間制限のある認証キーを現在時刻と照合することができ、その後、中央ホストコントローラ１４０を介して、制御サービス要求をスマート照明スイッチ／サーモスタット２００に中継し、及び／又は、室内装置に種々の制御コマンドを直接発行し、関連する状態及び環境の情報を返すことができる。
【００１９】
リモートコントローラ、専用キーパッド１２８、及び特定のＡ／Ｖエンターテイメント装置を含む他のタイプの装置も、中央ホストコントローラ１４０及びクラウド制御サービス１６０と通信することができる。中央ホストコントローラ１４０は、リモートコントローラと組み合わせて使用される制御ユーザーインターフェイス（例えば、オンスクリーンディスプレイ（ＯＳＤ））を駆動するとともに、他のユーザーインターフェイス機能をサポートする役割を担う場合がある。
【００２０】
多種多様な他のタイプの室内装置は、スマートスイッチ／サーモスタット２００に接続され、又は、中央ホストコントローラ１４０及びクラウド制御サービス１６０と通信することができる。そのような他の室内装置には、音声制御装置（例えば、Ａｍａｚｏｎ  Ｅｃｈｏ（登録商標）やＡｍａｚｏｎ  Ｄｏｔ（登録商標）音声制御装置）、メディアストリーミング装置（例えば、Ｓｏｎｏｓ（登録商標）スマートスピーカー、Ａｐｐｌｅ  ＴＶ（登録商標）ストリーミングメディアプレーヤー、Ｒｏｋｕ（登録商標）ストリーミングメディアプレーヤーなど）、自動日除け又はブラインドシステム、モーター又はリレー作動装置、火災警報システム、サードパーティの自動化又はセンサーシステム、及び他のさまざまなタイプの装置が含まれ得る。
【００２１】
中央ホストコントローラ１４０は、宿泊施設全体の高レベルの自動化と制御を管理することができ、有線ローカルエリアネットワーク（ＬＡＮ）（例えば、イーサネット（登録商標））１３２及び／又はＷＬＡＮ（例えば、ＷｉＦｉ）を介して、各部屋にあるスマートスイッチ／サーモスタット２００（及び、特定の他の室内装置）に接続されている。高レベルの自動化と制御には、スケジュールに応じて室内装置の状態を変更すること（例えば、夜間は環境制御温度設定を変更すること）、装置や環境の状態に応じて室内装置の状態を変更すること（例えば、部屋の照明がオフである場合や、温度が所与の閾値を超えている場合に、環境制御温度を下げること）、及び、在否や占有の情報に応じて室内装置の状態を変更すること（例えば、部屋が空いている場合、エネルギーを節約するために室内装置を非アクティブにすること）などが含まれ得る。中央ホストコントローラ１４０は、ＷＬＡＮ（例えば、Ｗｉ−Ｆｉ）を介して、宿泊施設内スタッフ装置（例えば、タブレットコンピュータ、スマートフォン、ノートブック若しくはデスクトップコンピュータ、及び／又は、現場管理、ゲストサービス、保守、及びハウスキーピングスタッフによって使用される他の装置）にさらに接続される場合がある。宿泊施設内スタッフ装置は、室内装置の状態を手動で調整し、宿泊施設の複数の部屋にわたって状態及び環境の情報を表示するためのユーザーインターフェイスを提供する場合がある。
【００２２】
一般に、中央ホストコントローラ１４０は、管理及び監視のための接続ポイントとして動作し、ユーザーインターフェイスを管理し、クラウド制御サービス１６０への電線管を提供する。各部屋にあるスマートスイッチ／サーモスタット２００（及び、特定の他の室内装置１１０）は、暗号化された永続的ＷｅｂＳｏｃｋｅｔ通信とＲＥＳＴ（ＲＥｐｒｅｓｅｎｔａｔｉｏｎａｌ  Ｓｔａｔｅ  Ｔｒａｎｓｆｅｒ）アプリケーションプログラムインターフェイス（ＡＰＩ）の組み合わせを使用して、中央ホストコントローラ１４０を介してクラウド制御サービス１６０と通信することができる。制御コマンドは、中央ホストコントローラ１４０によって仲介されたＷｅｂＳｏｃｋｅｔを介して、どちらの方向にも送信することができる。状態及び環境の情報は、ＲＥＳＴ  ＡＰＩを介して送信される場合がある。
【００２３】
場合によっては、中央ホストコントローラ１４０は、宿泊施設データベースのローカルコピーを維持する場合がある。宿泊施設データベースのローカルコピーには、宿泊施設の各部屋にあるスマートスイッチ／サーモスタット２００（及び、特定の他の室内装置１１０）の構成、室内のリアルタイムの状態（例えば、ＨＶＡＣ状態、照明状態、Ａ／Ｖ状態、温度、及び光レベルのようなリアルタイムの状態及び環境の情報）や履歴メトリック（例えば、装置の過去の使用パターン、過去の平均気温、及びＨＶＡＣサイクリング情報など）、在否占有データ、スタッフの許可及びアクセス情報、並びに、他のタイプのデータが記憶されている。宿泊施設データベースの一次コピーは、クラウド制御サービス１６０によって維持される場合がある。場合によっては、一次コピーだけがクラウド制御サービス１６０によって維持されてもよく、ホストコントローラは、必要なときにデータベースに単にアクセスしてもよい。
【００２４】
クラウド制御サービス１６０（例えば、インターネットを介してアクセス可能なオンデマンド・クラウドコンピューティング・プラットフォーム上にある）は、宿泊施設、及び場合によっては（例えば、ホテルチェーンの）他の関連宿泊施設のリモート監視、制御及びデータストレージ機能を提供する場合がある。クラウド制御サービス１６０は、宿泊施設装置並びに宿泊施設外企業運用装置（例えば、タブレットコンピュータ、スマートフォン、ノートブック若しくはデスクトップコンピュータ、及び／又は、企業又は運用担当者が使用する他の装置）１９０に関連するサードパーティのサービスインフラストラクチャ１７０とも、情報をやりとりする場合がある。クラウド制御サービス１６０は、複数の機能モジュールを含み、例えば、ＷｅｂＳｏｃｋｅｔサービスモジュール、ＡＰＩサービスモジュール（例えば、ＲＥＳＴ及び他のタイプの転送をサポートする）、インバウンドとアウトバウンドのイベントを管理する統合ネクサス、及び、宿泊施設データベースにデータを記憶し（例えば、ＳＱＬを利用して）、キャッシュ機能を提供するデータストレージモジュール、並びに他の機能モジュール（これらはすべて、メッセージングバスに接続されている）を含む場合がある。
【００２５】
中央ホストコントローラ１４０と情報をやりとりする宿泊施設内スタッフ装置１８０を使用する宿泊施設内スタッフ、及び、クラウド制御サービス１６０と情報をやりとりする宿泊施設外企業運用装置１９０を使用する宿泊施設外企業又は運用担当者は、宿泊施設（又は場合によっては、複数の宿泊施設）の種々の部屋について運用、監視及び保守の情報を提供する中央管理ポータルにアクセスすることができる。ユーザーインターフェイスに表示される情報と機能は、スタッフや担当者の役割（例えば、フロントデスクの従業員、最高執行責任者など）や責任の範囲（例えば、特定地域の宿泊施設のみ、地域的、全国的など）に応じた権限に基づいて、カスタマイズされ、及び／又は制限される場合がある。広く様々な情報が、単一の宿泊施設の複数の部屋に対し、又は、複数の宿泊施設の複数の部屋に対し、部屋ごとに提供される場合がある。こうした情報には、例えば、状態と健康、占有率や温度やエネルギーのようなリアルタイムの統計と分析、イベント履歴、並びに、他のタイプの情報が含まれる。機能には、とりわけ、遠隔の室内装置の制御と電源の再投入、装置構成と更新のプッシュ機能、特定の閾値の超過や特定の傾向が判定されたときの自動アラート及び通知を設定する機能、保守スケジュールを定義する機能、レポートの生成などが含まれ得る。
【００２６】
図２Ａは、スマート照明スイッチ／サーモスタット２００の第１の例示的実施形態の種々の内部構成要素を示すブロック図である。第１の実施形態は、中性線（すなわち、ライン、負荷、及び中性導体）を有する壁内ＡＣ配線から電力を引き出すように構成される場合がある。スマート照明スイッチ／サーモスタット２００のメインボード２１０は、ユーザーインターフェイスの一部を表示するためのタッチセンシティブＬＣＤ画面２２０と；ユーザーインターフェイスの一部でもある１以上の物理的ボタン及び１以上の赤緑青（ＲＧＢ）ＬＥＤ２３０と；アンテナ２４５に結合された無線インターフェイス２４０（これは、他の室内装置やアクセスポイントと接続するための、ＷＰＡＮ（例えば、ＢＬＥ）とＷＬＡＮ（例えば、Ｗｉ−Ｆｉ）を組み合わせた無線装置を含む場合がある）と；ＬＣＤ画面２２０上のユーザーインターフェイスを駆動し、受信した入力を解読するプロセッサ２５０と；プロセッサ上で実行され、スマート照明スイッチ／サーモスタット２００の機能を実施する制御コード及びファームウェアを記憶しているメモリ（例えば、フラッシュメモリ）２６０と；直流（ＤＣ）−ＤＣ電源２６５とを含む。スマート照明スイッチ／サーモスタット２００の電源ボード２７０は、ＤＣ電流ワイヤ及びリレー制御ワイヤを介してメインボード２１０に結合される場合があり、さらに、ライン導体を負荷導体及びＡＣ−ＤＣ電源２９０に切り替える電源リレー２８０を含む場合がある（例えば、スマート照明スイッチ／サーモスタット２００を介して配線された照明器具に電力を供給するために）。ＡＣ−ＤＣ電源２９０は、ライン導体及び中性導体を使用して、スマート照明スイッチ／サーモスタット２００に電力を供給する。
【００２７】
一部の古い構造物は、中性導体を持たない（すなわち、ラインと負荷導体のみがある）壁内配線を有していることがある。中性導体の欠如は、図２Ａに示したスマート照明スイッチ／サーモスタット２００の例示的実施形態の場合、ＡＣ−ＤＣ電源２９０への電力供給が難しくなるため、問題となることがある。図２Ｂは、スマート照明スイッチ／サーモスタット２００の第２の例示的実施形態の種々の内部構成要素を示すブロック図である。第２の実施形態は、電源リレー２８０の代わりに位相カット調光器２８１が使用され、ＡＣ−ＤＣ電源２９０が負荷導体に結合されている点を除き、第１の実施形態と同様である。照明スイッチ／サーモスタット２００がオフの位置にあるとき（すなわち、スマート照明スイッチ／サーモスタット２００に接続された照明器具又は他の装置がオフになることを意図している）、負荷導体は、中性導体として使用される。位相カット調光器２８２によれば、少量の電力を負荷導体に流すことが可能となり、ＡＣ−ＤＣ電源２９０に電力を供給することが可能になるが、照明器具を発光させ（少なくとも視覚的に知覚可能な方法で）、又は、スマート照明スイッチ／サーモスタット２００に接続された別のタイプの装置を作動させるには、不十分である。照明スイッチ／サーモスタット２００がオンの位置にあるとき（すなわち、スマート照明スイッチ／サーモスタット２００に接続された照明器具又は他の装置がオンになることを意図している）、位相カット調光器２８２は、照明器具又は他の装置に向かう電力を定期的に（例えば、数ミリ秒間）遮断することにより、ＡＣ−ＤＣ電源２９０に電力を供給する。この短い中断は、客に気付かれない場合がある。
【００２８】
中央管理ポータルのユーザーインターフェイスの例
上で説明したように、中央管理ポータルは、宿泊施設内スタッフ及び宿泊施設外の企業又は運用担当者に、さまざまな運用、監視、及び保守の情報と機能を提供することができる。図３Ａは、宿泊施設データベースのデータから生成される場合がある宿泊施設全体の占有率、エネルギー使用量、及び温度状態を表示する例示的概要画面３００を示すスクリーンショットである。図３Ｂは、図３Ａの概要画面に示された部屋の１つを選択することによりアクセス可能な選択された部屋の占有率、エネルギー使用量、及び温度状態を表示する、一例による部屋固有画面３１０を示すスクリーンショットである。部屋のリアルタイムの状態情報を提供する他に、部屋固有画面３１０は、履歴データも表示する場合がある。さらに、室内装置を直接制御するための種々の制御を提供することにより、環境制御の設定値を変更したり、装置の状態を変更したりする（例えば、照明、音楽などをオン又はオフにする）ことができる。
【００２９】
運用、監視、及び保守のトランザクションの例
図４は、客のチェックイン時に実行されることがある例示的一連のステップを示すフロー図である。ステップ４１０で、客は、宿泊施設のフロントデスクに到着し、フロントデスクの従業員（ＦＤＥ）と話しをする。客がまだダウンロードしていなければ、客は、モバイル制御アプリを自分のモバイル装置（例えば、スマートフォン１２６）にダウンロードすることができる。ステップ４２０で、ＦＤＥは、サードパーティの部屋管理システム（ＲＭＳ）又は他のサードパーティのサービスインフラストラクチャ１７０を使用して、客のチェックイン手続きをする。ＲＭＳ／サードパーティのサービスインフラストラクチャは、クラウド制御サービス１６０に通知する。客には、ゲスト識別子（ＩＤ）が割り当てられる場合があり、ステップ４３０で、このゲストＩＤは、クラウド制御サービス１６０上に維持されている宿泊施設データベース内の部屋の部屋ＩＤにバインドされる。ステップ４４０で、中央ホストコントローラ１４０は、時間制限のある認証キーを含む資格情報を、ゲストモバイル装置（例えば、スマートフォン１２６）上のモバイル制御アプリに割り当てる。資格情報により、モバイル制御アプリは、客の滞在期間中にスマート照明スイッチ／サーモスタット２００及び他の室内装置を制御することが可能になる。ステップ４５０で、中央ホストコントローラ１４０は、スマート照明スイッチ／サーモスタット２００に種々の制御コマンドを送信することにより、客の到着に備えて、温度や他の環境設定を快適なレベルに変更する。任意選択で、中央ホストコントローラ１４０はさらに、スマート照明スイッチ／サーモスタット２００に種々の制御コマンドを送信し、又は他の室内装置１１０に種々の制御コマンドを直接送信することにより、客の到着に備えて、状態（例えば、照明、音楽など）を変更する場合がある。ステップ４６０で、環境制御装置（例えば、ＰＴＡＣ）、及び任意選択で他の室内装置１１０は、コマンドを実行する。
【００３０】
図５は、客のチェックアウト時に実行されることがある例示的一連のステップ５００を示すフロー図である。ステップ５１０で、客は、自分のモバイル装置（例えば、スマートフォン１２６）から、モバイルチェックアウトを開始する。あるいは、ステップ５２０で、客は、宿泊施設のフロントデスクに到着し、ＦＤＥと話しをする。ステップ５３０で、モバイル装置（例えば、スマートフォン）への入力に応答して、又はＦＤＥによって、ＲＭＳ又は他のサードパーティのサービスインフラストラクチャ１７０は、客の部屋からのチェックアウト手続きをする。ＲＭＳ／サードパーティのサービスインフラストラクチャは、クラウド制御サービス１６０に通知し、ステップ５４０で、クラウド制御サービス１６０は、宿泊施設データベース内の部屋ＩＤから、ゲストＩＤのバインドを解除する。ステップ５５０で、中央ホストコントローラ１４０は、客の資格情報を取り消す。これには、モバイル制御アプリがスマート照明スイッチ／サーモスタット２００及び他の室内装置を制御することをいったん許可した時間制限のある認証キーを、明示的にクリアすることが含まれる。ステップ５６０で、中央ホストコントローラ１４０は、スマート照明スイッチ／サーモスタット２００に種々の制御コマンドを送信することにより、温度や他の環境設定をエコノミーモードに変更し、電力消費を最小限に抑える。任意選択で、中央ホストコントローラ１４０はさらに、スマート照明スイッチ／サーモスタット２００に種々の制御コマンドを送信することにより、又は他の室内装置１１０に種々の制御コマンドを送信することにより、状態（例えば、照明、音楽など）をオフに、又は電力低減状態に変更してもよい。ステップ５７０で、環境制御装置（例えば、ＰＴＡＣ）、及び任意選択で他の室内装置１１０は、それらのコマンドを実行する。エコノミーモードである間、環境制御装置（例えば、ＰＴＡＣ）は、パッシブ状態（例えば、広い帯域で温度を変化させることが可能）になる場合がある。
【００３１】
図６は、部屋の客室温度設定点変更のために実行されることがある例示的一連のステップ６００を示すフロー図である。ステップ６１０で、客は、自分のモバイル装置（例えば、スマートフォン１２６）上のモバイル制御アプリ、又はスマート照明スイッチ／サーモスタット２００のユーザーインターフェイスのいずれかを使用して、温度設定点変更操作を開始する。モバイル制御アプリを使用する場合、モバイル装置（例えば、スマートフォン１２６）は、サービス制御要求をクラウド制御サービス１６０に送信し、ステップ６２０で、クラウド制御サービス１６０は、サービス要求を、中央ホストコントローラ１４０を介してスマート照明スイッチ／サーモスタット２００に向けて発行する。あるいは、ステップ６３０で、スマート照明スイッチ／サーモスタット２００は、そのユーザーインターフェイスを介して直接通知を受ける。ステップ６４０で、スマート照明スイッチ／サーモスタット２００は、種々の制御コマンドを発行することにより、部屋の温度設定点を変更する。ステップ６５０で、環境制御装置（例えば、ＰＴＡＣ）は、それらのコマンドを実行する。部屋の新しい温度設定点を確認するフィードバックが、モバイル制御アプリに提供されてもよい。
【００３２】
図７は、トラブルシューティングを実施し、室内装置１１０の交換を管理するために実行されることがある例示的一連のステップ７００を示すフロー図である。ステップ７１０で、客は、環境制御装置（例えば、ＰＴＡＣ）のような室内装置が、期待通りに動作していないことを報告する。ステップ７２０で、ＦＤＥは、宿泊施設保守の専門家（ＰＭＰ）に連絡する。ＰＭＰは、宿泊施設内スタッフ装置１８０を使用して、中央管理ポータルにアクセスすることができる。ステップ７３０で、ＰＭＰは、中央管理ポータルを使用して、クラウド制御サービス１６０によって維持されているプロパティデータベースから、履歴メトリックを取得する。例えば、環境制御装置（例えば、ＰＴＡＣ）の故障が疑われる場合、履歴温度を取得してプロットすることにより、性能の低下を強調することができる。ステップ７４０で、交換の正当な理由があるか、それとも修理が可能であるかの判断が行われる。交換の正当な理由がない場合、ステップ７５０で、ＰＭＰは、室内装置を修理することができる。あるいは、交換の正当な理由がある場合、ステップ７６０で、ＰＭＰは、ユニットを交換することができる。ステップ７７０で、ＰＭＰは、中央管理ポータルを使用して、宿泊施設データベースに記憶された装置レコード（例えば、メーカー、モデル、シリアル番号などを示す）を更新することができる。
【００３３】
図８は、システムレポートを実行し、種々の通知を発行するために実行されることがある例示的一連のステップ８００を示すフロー図である。ステップ８１０で、地域施設管理者（ＲＦＭ）又は他の企業又は運用担当者は、宿泊施設外の企業又は運用装置を使用して、中央管理ポータルにアクセスし、レポートを要求する場合がある。システムダウンタイム、エネルギー使用量（部屋ごと、宿泊施設ごと、地域ごと等）、室内装置の状態、室内装置の室内性能、及び保守メトリックなどに焦点を当てて、さまざまなタイプのレポートがサポートされる場合がある。ステップ８２０で、クラウド制御サービス１６０は、宿泊施設データベースにアクセスし、必要なメトリックを取得する。ステップ８３０で、中央管理ポータルは、要求されたレポートの体裁を整えて提示する。これと同時に、各部屋の性能メトリックが継続的に収集され、宿泊施設データベースが更新され、必要に応じて通知が発行される。ステップ８４０で、室内装置は、環境条件及び自分自身の状態を測定し、それらをスマート照明スイッチ／サーモスタット２００に提供する。ステップ８５０で、スマート照明スイッチ／サーモスタット２００は、メトリックをまとめ、それらのメトリックを、中央ホストコントローラ１４０を介してクラウド制御サービス１６０にアップロードする。ステップ８６０で、クラウド制御サービス１６０は、宿泊施設（及び、場合によっては複数の宿泊施設）内の種々の部屋のメトリックを収集し、８７０で、それらのメトリックを宿泊施設データベースに追加する。ステップ８８０で、クラウド制御サービス１６０は、それらのメトリックを所定の閾値及び／又は傾向と比較し、ステップ８９０で、アクションが必要であるか否か（例えば、１以上の室内装置が異常に動作していること）を判定する。アクションが必要な場合、ステップ８９０で、クラウド制御サービス１６０は、サードパーティのサービスインフラストラクチャ１７０に通知を送信する場合がある。これにより、ステップ８９５で、適当なスタッフを派遣して保守作業を実行し、又は他のアクションを実行することができる。
【００３４】
ＷＰＡＮ装置の電力最適化
上述のように、中央ホストコントローラ１４０を使用することで、部屋内の一部のバッテリー駆動式ＷＰＡＮ（例えば、ＢＬＥ）装置（例えば、客がモバイル装置（例えば、スマートフォン）上のアプリを使用してアクセスできるバッテリー駆動式ＢＬＥドアロック）の電力消費を最適化することができる。スマート照明スイッチ／サーモスタット２００は、部屋のエージェントとして動作し、ゲストモバイル装置（例えば、スマートフォン１２６）に代わってアドバタイズを実行しながら、バッテリー駆動式ＷＰＡＮ装置（例えば、バッテリー駆動式ＢＬＥドアロック）との間の接続を維持する。スマート照明スイッチ／サーモスタット２００は、ネゴシエート済み接続インターバルを使用して、バッテリー駆動式ＷＰＡＮ装置（例えば、バッテリー駆動式ＢＬＥドアロック）との間のオープン接続を維持する。接続インターバルは長く（例えば、数百ミリ秒）、したがって、大部分の時間にわたってバッテリー駆動式ＷＰＡＮ装置をオフ状態にすることができる。スマート照明スイッチ／サーモスタット２００は、接続可能なアドバタイジング送信をさらに送信する。アドバタイジングインターバルは非常に短く（例えば、２０ミリ秒）、したがって、ゲストモバイル装置（例えば、スマートフォン１２６）のようなモバイル装置のスキャンインターバルと一致する可能性を増加させることができる。ユーザー（例えば、客）が部屋に近づき、自分がバッテリー駆動式ＷＰＡＮ装置の状態を変更したい（例えば、バッテリー駆動式ＢＬＥドアロックを作動させ、ドアロックをロック又はロック解除したい）ことを知らせると、受信した接続可能なアドバタイジング送信を使用して、スマート照明スイッチ／サーモスタット２００との間に接続が確立され、データ交換（例えば、キー交換）が開始され、スマート照明スイッチ／サーモスタット２００は、バッテリー駆動式ＷＰＡＮ装置の状態を変更するために必要なデータを受信する。スマート照明スイッチ／サーモスタット２００は、ネゴシエート済み接続インターバルで、そのデータ（例えば、キー）を、既存の接続を介してバッテリー駆動式ＷＰＡＮ装置（例えば、バッテリー駆動式ＢＬＥドアロック）に転送する。このようにして、バッテリー駆動式ＷＰＡＮ装置（例えば、バッテリー駆動式ＢＬＥドアロック）の低レイテンシと長いバッテリー寿命の両方を達成することができる。
【００３５】
むすび
上で説明した電力最適化のための種々の技術に対し、さまざまな改変や変更がなされてもよいことを理解されたい。多室宿泊施設の一例がホテルであってもよいことを上で説明したが、スマート制御及びエネルギー管理システム１００は、様々な他のタイプの多室宿泊施設で使用されてもよく、例えば、シニア住宅設備、病院、寮、及びアパートなどで使用されてもよいことを、覚えておくべきである。さらに、ハードウェアで実施されるものとして上で提案された機能の少なくとも一部は、ソフトウェアで実施されてもよく、その逆も同様であることを理解されたい。一般に、機能は、ハードウェアで実施されても、ソフトウェアで実施されても、又はそれらのさまざまな組み合わせで実施されてもよい。ハードウェア実施形態は、論理回路、特定用途向け集積回路、及び／又は、他のタイプのハードウェア構成要素を含む場合がある。ソフトウェア実施形態は、揮発性若しくは永続性のメモリ、ハードディスク、コンパクトディスク（ＣＤ）、又は他の有形媒体のような非一時的電子装置読み取り可能媒体（例えば、非一時的コンピュータ読み取り可能媒体）に記憶された種々の電子装置実行可能命令（例えば、コンピュータ実行可能命令）を含む場合がある。さらに、ソフトウェア実施形態とハードウェア実施形態の組み合わせは、非一時的電子装置読み取り可能媒体に記憶された電子装置実行可能命令と、１以上のハードウェア構成要素（例えば、プロセッサやメモリなど）との両方を含む場合がある。とりわけ、上記の実施形態は、例としてのみみなされることが意図されているものと理解すべきである。
【図１】
2021517350.tif 000003
【図２Ａ】
2021517350.tif 000004
【図２Ｂ】
2021517350.tif 000005
【図３Ａ】
2021517350.tif 000006
【図３Ｂ】
2021517350.tif 000007
【図４】
2021517350.tif 000008
【図５】
2021517350.tif 000009
【図６】
2021517350.tif 000010
【図７】
2021517350.tif 000011
【図８】
2021517350.tif 000012
【国際調査報告】
2021517350.tif 000013
2021517350.tif 000014
2021517350.tif 000015
2021517350.tif 000016
2021517350.tif 000017